(57)【要約】【課題】便器（１２）及び臭気排出装置（１３）を備えたトイレ（１０）を提供する。【解決手段】洗浄水導入口（１８）及び臭気排出口（２０）を備えた便器（１２）の臭気排出口（２０）が臭気排出装置（１３）と通じている。臭気排出口（２０）の少なくとも一部は便器上部の洗浄水導入口（１８）よりも高い位置に設けられる。トイレ（１０）は、大量の洗浄水が排出口（２０）を通じて同時に排出されることなく、不快なガスを便器（１２）から確実に排出させる。【選択図】図１
2010520958.tif 000002
【特許請求の範囲】
【請求項１】
便器及び臭気排出装置を備えたトイレであって、便器が洗浄水導入口及び臭気排出装置と通じた臭気排出口を備え、かつ臭気排出口の少なくとも一部が便器上部の洗浄水導入口よりも高い位置に設けられているトイレ。
【請求項２】
臭気排出口全体が便器上部の洗浄水導入口よりも高い位置に設けられている請求項１に記載のトイレ。
【請求項３】
臭気排出装置と臭気排出口が実質的に同軸である請求項１または２に記載のトイレ。
【請求項４】
排出装置と排出口の共通軸が実質的に水平である請求項３に記載のトイレ。
【請求項５】
排出装置と排出口の共通軸が実質的に垂直である請求項３に記載のトイレ。
【請求項６】
臭気排出装置が、排出口の接続に適合した換気ファンを備え、排出ダクトが前記ファンの下流に配置されている請求項３〜５のいずれかに記載のトイレ。
【請求項７】
排出ファン、排出ダクト、及び排出口が同軸である請求項６に記載のトイレ。
【請求項８】
便器が複数の臭気排出口を備えている請求項１〜７のいずれかに記載のトイレ。
【請求項９】
トイレが各臭気排出口のそれぞれに複数の臭気排出装置を備えている請求項８に記載のトイレ。
【請求項１０】
臭気排出装置が作動するように適合させたスイッチをさらに備えている請求項１〜９のいずれかに記載のトイレ。
【請求項１１】
前記スイッチがトイレのある部屋に入るためのドアに配置されており、前記スイッチがドアの開放に対応して臭気排出装置が作動するように適合させたものである請求項１０に記載のトイレ。
【請求項１２】
前記スイッチが、トイレのある部屋の電灯のスイッチに組み入れられており、前記スイッチが電灯のスイッチの操作に対応して臭気排出装置を作動させる請求項１０に記載のトイレ。
【請求項１３】
前記スイッチが臭気排出装置を作動させてから予め設定した時間が経過した後、臭気排出装置が停止するように適合させたタイマーをさらに備えている請求項１０〜１２のいずれかに記載のトイレ。
【請求項１４】
便器が、さらに軸回転可能に取付けられた便座を備え、かつ臭気排出口が便座に設けられている請求項１〜１３のいずれかに記載のトイレ。
【請求項１５】
臭気排出装置が、装置を通って便器中にガスが流れ込むのを防ぐ手段をさらに備えている請求項１〜１４のいずれかに記載のトイレ。
【請求項１６】
装置を通って便器中にガスが流れ込むのを防ぐ手段が逆止弁である請求項１５に記載のトイレ。
【請求項１７】
洗浄水導入口及び臭気排出口を備えた便器であって、前記臭気排出口の少なくとも一部が便器上部の洗浄水導入口よりも高い位置に設けられている便器。
【請求項１８】
臭気排出口全体が便器上部の洗浄水導入口よりも高い位置に設けられている請求項１７に記載の便器。
【請求項１９】
さらに、軸回転可能に取付けられた便座を備え、かつ便座に臭気排出口が設けられている請求項１７または１８に記載の便器。
【発明の詳細な説明】
【技術分野】
【０００１】
本発明は、トイレの改良、及びトイレがある部屋またはトイレがある閉じられたスペースの換気に関する。さらに詳しく言えば、本発明は臭気排出装置を備えたトイレに関するが、これに限定されない。
【０００２】
トイレ使用時に生じる不快な臭気ガスを取り除くことが一般的に要求されている。また、トイレ及び浴室、特に外壁や窓がない室内トイレまたは浴室では、換気をする必要がある。提案されている解決法として、便器の換気を改良するために便器もしくは便座にダクト及び換気ファンに通じる隙間もしくは孔を設けた改良便器もしくは便座を使用する方法がある。
【０００３】
その様な先行技術は効率が悪いこと、及び／または洗浄過程において水がたまりやすいことの不都合がある。
従って、臭気排出装置を備えた改良トイレが要望されている。
【０００４】
本出願人による国際公開ＷＯ９９／３５３４９号公報（特許文献１）は、減圧手段及び前記減圧手段の出口と通じるようにしたチャンバー（仕切空間）を備えた便器に用いる臭気排出装置を開示している。前記臭気排出装置は便器の後部に嵌め込まれ、使用時に減圧手段がチャンバーを介して便器から臭気を除去するように働く。しかしながら、この装置はさらなる改良が望まれている。
【先行技術文献】
【特許文献】
【０００５】
【特許文献１】国際公開ＷＯ９９／３５３４９号公報
【発明の概要】
【発明が解決しようとする課題】
【０００６】
従って、本発明の目的は、先行技術に存在する１以上の問題点を取除くか、少なくとも軽減することにある。
【課題を解決するための手段】
【０００７】
本発明の第１の態様によれば、便器及び臭気排出装置を備えたトイレであって、便器が洗浄水導入口及び臭気排出装置と通じた臭気排出口を備え、かつ臭気排出口の少なくとも一部が便器上部の洗浄水導入口よりも高い位置に設けられているトイレが提供される。
【０００８】
好ましくは、臭気排出口全体が便器上部の洗浄水導入口よりも高い位置に設けられている。
臭気排出口及び洗浄水導入口の高さは便器の底面からの高さである。
好ましくは、臭気排出口は便器の洗浄水路内に広がる排出路を備えている。洗浄水導入口は洗浄水路と通じている。
【０００９】
好ましくは、排出路は便器の上端縁（トップ・リム）内に形成される。好ましくは、前記通路は洗浄縁（フラッシュ・リム）に対し鋭角で便器に入る。
好ましくは、臭気排出口通路と臭気排出装置が実質的に制限されない流路を備え、それを通して排気したとき、ガスを排気するために使用するエネルギーは最小限ですむ。
好ましくは、臭気排出口と臭気排出装置の間に実質的に直線状の流路を設ける。
【００１０】
好ましくは、臭気排出装置はさらに減圧室を備え、前記排出装置の出口と減圧室への入口の間に実質的に直線状の流路を設け、それを通して排気したとき、ガスを排気するために使用するエネルギーは最小限ですむ。
好ましくは、減圧室は貯水槽に取付けられる。
【００１１】
一つの実施態様では、減圧室は外壁を介して外側領域と直接通気してもよい。他の実施態様では、減圧室は、複数のトイレと結合した外部通気管と通気していてもよい。この後者の配置は、例えばホテル、オフィス等の共同建築で特に好都合である。
【００１２】
好ましくは、臭気排出口は便器の後部に配置される。
好ましくは、複数の臭気排出口が設けられ、各臭気排出口は対応する臭気排出装置を備えている。前記複数の臭気排出装置は便器に対して並列に接続される。
【００１３】
好ましくは、各臭気排出装置は少なくとも１つの換気ファンを備えている。
好ましくは、各換気ファンは外壁を介して外側領域に直接臭気を排出する。
【００１４】
本発明の第２の態様によれば、洗浄水導入口及び臭気排出口を備え、かつ前記臭気排出口の少なくとも一部が便器上部の洗浄水導入口よりも高い位置に設けられた便器が提供される。
好ましくは、臭気排出口全体が便器上部の洗浄水導入口よりも高い位置に設けられている。
【図面の簡単な説明】
【００１５】
【図１】本発明に係るトイレの第１の実施態様の概要を示す側面図。
【図２ａ】図１のトイレの側断面図。
【図２ｂ】図２ａのトイレの概要を示す平面図。
【図２ｃ】図２ｂのＡ−Ａ線に沿った断面図。
【図２ｄ】図２ｂのＢ−Ｂ線に沿った断面図。
【図３】図１のトイレの便器の背面図。
【図４】本発明に係るトイレの第２の実施態様の概要を示す側面図。
【発明を実施するための形態】
【００１６】
以下に例を挙げて、添付図面を参照しながら本発明の具体例を説明する。
【００１７】
図１及び２ａ〜２ｄに示されるように、トイレ（１０）は、換気ファン（１４）とダクト（１６）が臭気排出口（２０）を介して便器に接続された形の便器（１２）及び臭気排出装置（１３）を備えている。便器（１２）は、１つの洗浄水導入口（１８）と２つの臭気排出口（２０）を備えている。前記臭気排出口（２０）は便器（１２）の上端リム（２２）に収納される。便器（１２）は一体成形型ユニットである。しかしながら、便器（１２）は、成形されているか成形されていない、適当な数の部品から製造することもできる。
【００１８】
図２ｂに最も良く示されるように、各臭気排出口（２０）は臭気排出装置（１３）に結合され、各排出口（２０）の少なくとも一部は便器（１２）の洗浄水導入口（１８）より高い位置に設けられる。言い換えれば、各排出口（２０）と洗浄水導入口（１８）が便器（１２）中に開口している位置において、便器（１２）の底面からの高さは、導入口（１８）よりも各排出口（２０）の少なくとも一部の方が高い。この高さの違いは、排出口（２０）の高さＡが高さＢより大きい図１に示されている。実際は、排出口（２０）全体が便器（１２）で導入口（１８）より高い位置にあることが好ましい。臭気排出装置（１３）は平行に便器（１２）に結合される。
【００１９】
トイレ（１０）は、便器（１２）を洗浄してその内容物を廃棄物出口（２６）を介して除去できるように、便器（１２）の洗浄水導入口（１８）と通常の方法で結合される貯水槽（２４）をさらに備えていてもよい。
【００２０】
装置（１０）は、換気ファン（１４）を作動させるために使用者が操作するスイッチ（図示せず）をさらに含む。各換気ファン（１４）は、ファン（１４）を作動させた後、予め設定した時間経過後にファン（１４）を停止させるタイマーを備えている。これに代えて、換気ファン（１４）は、洗浄行為によって作動させてよいし、またはトイレ（１０）のある閉じられた空間に人が入ることによって作動させてもよい。
【００２１】
次に、特に図２ａ〜２ｄを参照すると、洗浄水導入口（１８）が便器（１２）の中央後部にあることが分かる。便器（１２）はリム（２２）の内側に設けられた洗浄水路（３０）を含み、便器（１２）の周囲にある導入口（１８）から通水する。各排出口（２０）の少なくとも一部が洗浄水導入口（１８）より高い位置に配置されるだけでなく、２つの排出口（２０）も、互いに横に間隔を置いて配置され、便器（１２）の後部に配置される。
【００２２】
排出口（２０）は、排出口（２０）と便器（１２）をつなぐ排出路（２８）を含む。排出路（２８）は、便器（１２）の底面からの高さが洗浄水導入口（１８）または洗浄水路（３０）のどちらよりも高いところで便器（１２）中に開口する。排出路（２８）は、リム（２２）から下向きに広がり、洗浄水路（３０）に対し鋭角で便器（１２）に入る。洗浄水路（３０）の上にあるリム（２２）中に通路（２８）を設けることによって、通路（２８）は、便器（１２）で発生する上昇ガスを捕らえて排出口（２０）に向ける。
【００２３】
図２ｂは、２つの換気ファン（１４）が、便器（１２）の各々の排出口（２０）とどのように結合されるかを示している。末端への流れでは、ファン（１４）は、排出ダクト（１６）を介して減圧室（５０）か、あるいはこれに代えて通気管（図示せず）と接続される。減圧室（５０）は外壁（図示せず）を介して外側領域と直接通気してもよい。これらに代えて、減圧室（５０）は複数のトイレと結合された外部通気管（図示せず）と通気してもよい。
【００２４】
トイレ（１０）は、各臭気排出装置（１３）が各排出口（２０）と実質的に同軸に配置されている。言い換えれば、排出口（２０）、ファン（１４）、及び排出ダクト（１６）は同軸である。結果として、トイレ（１０）は、トイレからの実質的に制限されない排出ガス流路を確保する。その結果、ファン（１４）を、制限された装置通路周辺のガスを動かして過度に作動させる必要がないので、臭気排出装置（１３）はより効率的にガスを排出できる。
【００２５】
ガスをさらに効果的に排出するため、排出口（２０）はガスが便器から流れる方向で外に向かって先細に形成され、ファンに取付ける排出口（２０）の遠隔端部は便器の排出口（２０）の反対側の端部より直径が大きい。さらに、ファン（１４）及びそれに取付けられた排出ダクト（１６）の最初の端部は、排出口（２０）の遠隔端部と直径が同じである。ファン（１４）から遠方にある排出ダクト（１６）の第２の端部は、排出ダクト（１６）を定型の排水管に取付けできるように、最初の端部より直径が次第に小さくなるよう先細に形成されている。これらの相対的な直径は、例えば出口の遠隔端部、ファン及び排出ダクトの最初の端部が、直径９０ｍｍであり、排出ダクトの第２の端部が直径４０ｍｍである。
【００２６】
好ましい実施態様では、ファン（１４）は、ビルまたはトイレ（１０）が取付けられる輸送手段の標準配線回路から動力を得る１２Ｖファンである。ファン（すなわちファンのブレード）の直径は、トイレ（１０）が、浴室、公衆トイレなどの換気ユニットとして使用できるように選んでもよい。これは、部屋から湿気などを除去するためにファンを追加する必要性を排除する。
【００２７】
一つ実施態様では、ファンは変速可能なファンであり、トイレが使用されていないとき、ファンは、空気を排出するために高速回転させてもよい。しかしながら、トイレのふたを上げるか、または人が便器（１２）のシートに座ると、スイッチが作動してファンの速度を落とし、便器を通してより穏やかな流れで空気を抜き取るようにしてもよい。
【００２８】
本発明のトイレは、建築構造（building structure）、例えば、家、共同建築（communal building）、例えば、共同住宅（block of flats）、オフィス、ホテルなど、固定キャラバン（a static caravan）など、または輸送手段、例えば、飛行機、列車、バス、移動住宅、キャラバンなどに設けられる。
【００２９】
特定の用途では、例えば、トイレ（１０）が内部屋（すなわち、外側に対し外壁がない部屋）に設けられている場合、柔軟なホースなどを使用して、排出ダクト（１６）を内部通気管と結合させ、内部通気管をＴ字管としてメインの廃棄物出口と結合させる。前記内部通気管は、複数のトイレ（１０）からの排出を受けてもよい。典型的には、前記内部通気管を、トイレが設けられているビルに沿ってまたはビルの上方に延ばし、外側領域との通気を集中化させる。このようなケースとしては、例えばホテルまたはオフィスなどの商業的施設内が挙げられる。
【００３０】
使用に際して、トイレ（１０）はトイレの使用中に生じる不快なガスを排気するのに使用される。これは、便器（１２）から及び排出ダクト（１６）を通して外へ空気を抜き取る排出ファン（１４）を回転させるためのスイッチ（図示せず）を作動させる使用者によって達成される。臭気排出口（２０）の少なくとも一部は、洗浄水導入口（１８）の上方にあるので、トイレが水洗されるとき、水が排出装置（１３）またはその部分中に引き込まれる可能性は少ない。さらに、便器の排出口をできるだけ高い位置とすると、便器中を上昇するガスが確実に捕らえられて排出口を通して排出される。
【００３１】
臭気排出口（２０）及び関連する臭気排出装置（１３）を対（ペアー）で備えたトイレ（１０）を図示し説明したが、これに代わるものとしてトイレ（１０）は、単一の排出口（２０）と臭気排出装置（１３）を備えたものであってもよい。前記単一の臭気排出装置（１３）は、ファン（１４）と排出ダクト（１６）を含み、前記単一の排出口（２０）に接続される。
【００３２】
さらに、図示した本発明の好ましい実施態様では、臭気排出装置（１３）と臭気排出口（２０）は水平軸に関して同軸であるが、これが唯一の可能な配置ではない。これに代るものとして、臭気排出装置（１３）と臭気排出口（２０）は、図４に示すように垂直軸に関して同軸でもよい。これにより、排出装置（１３）と貯水槽（２４）を、所望の場合に既存の水洗用貯水槽ハウジング（４０）中にカップルで近付けることができる。
【００３３】
さらに、換気ファン（１４）はトイレ（１０）のある部屋の照明に使用する電灯のスイッチ操作により作動させてもよい。これに代えて、換気ファン（１４）はトイレ（１０）がある部屋の戸の開放により操作してもよい。
【００３４】
便器は、さらに排出口（２０）を収容する便座（トイレット・シート）（図示せず）を備えていてもよい。排出口（２０）がシートに収容されているか否かにかかわらず、シートはその下側の周囲に弾性細片（elastomeric strip）を有してもよい。細片は、少なくとも人がシートに座っているとき、シートと便器（１２）の間を密閉する。この密閉により、容易に臭気を封じ込め、気流が確実にトイレの前部領域から来るようになる。
【００３５】
トイレは１つ以上の臭気排出口及びそれに対応する臭気排出装置を含むものでもよい。換気ファン（１４）は、ファンに非復帰翼（non-return vanes）が取付けられたものを使用してもよい。これにより、ファンが作動を停止しても空気がトイレに逆流しないようにすることができる。これに代えて、外気が装置に入らないようにファンの管路の下流に（すなわち、ファンの便器とは反対側に）逆止弁を設けることもできる。さらに、この配置では、単一のスピードファン（speed fan）を用いることができ、装置を二つの役割、すなわち部屋の換気もするためにも使用して、トイレを使用する人がいるときは便器（１２）中に空気を戻さずにファンを止めることができる。
排出装置（１３）を通る気流を強めるためにダクト（１６）と通気管の間に換気ファンを追加してもよい。
【００３６】
本発明の範囲を逸脱することなく、他の変更及び改良を組み入れてもよい。
【符号の説明】
【００３７】
１０  トイレ
１２  便器
１３  臭気排出装置
１４  換気ファン
１６  ダクト
１８  洗浄水導入口
２０  臭気排出口
２２  上端リム
２４  貯水槽
２６  廃棄物出口
２８  排出路
３０  洗浄水路
４０  ハウジング
５０  減圧室
【図１】
2010520958.tif 000003
【図２ａ】
2010520958.tif 000004
【図２ｂ】
2010520958.tif 000005
【図２ｃ】
2010520958.tif 000006
【図２ｄ】
2010520958.tif 000007
【図３】
2010520958.tif 000008
【図４】
2010520958.tif 000009
【国際調査報告】
2010520958.tif 000010
2010520958.tif 000011
2010520958.tif 000012
2010520958.tif 000013
2010520958.tif 000014